(57)【要約】  【課題】  調整部材によりヘッド本体の重心を調整すると共に、振動吸収の功能を提供することができる。  【解決手段】  ヘッド本体（１）、結合部（１４）および調整部材（２）により構成される重量調整部材を有するゴルフクラブヘッドである。結合部（１４）はヘッド本体（１）の予定位置に設けられ、調整部材（２）には少なくとも一個の高分子材料と少なくとも一個の金属粉末が含まれる。調整部材（２）はゴルフクラブヘッドのヘッド本体（１）の結合部（１４）に結合されることにより、ゴルフクラブヘッドの全体の重心を調整すると共に、振動吸収の功能を提供する。【選択図】    図１
0003123825.tif 000002
【実用新案登録請求の範囲】
【請求項１】
ヘッド本体（１）、結合部（１４）および調整部材（２）により構成される重量調整部材を有するゴルフクラブヘッドであって、結合部（１４）はヘッド本体（１）の予定位置に設けられ、調整部材（２）には少なくとも一個の高分子材料と少なくとも一個の金属粉末が含まれ、調整部材（２）はゴルフクラブヘッドのヘッド本体（１）の結合部（１４）に結合されることにより、ゴルフクラブヘッドの全体の重心を調整すると共に、振動吸収の功能を提供することを特徴とする重量調整部材を有するゴルフクラブヘッド。
【請求項２】
上記調整部材（２）の高分子材料はポリプロピレン、ポリエチレンまたはポリスチレンから選択することを特徴とする請求項１記載の重量調整部材を有するゴルフクラブヘッド。
【請求項３】
上記調整部材（２）の高分子材料はポリカーボネート、ナイロン樹脂、フルオロカーボン、ＡＢＳ樹脂、ポリアセタール、エポキシ樹脂、不飽和のポリエステル樹脂、ポリエステル樹脂、ポリウレタンまたは熱可塑性エラストマーから選択することを特徴とする請求項１記載の重量調整部材を有するゴルフクラブヘッド。
【請求項４】
上記調整部材（２）の金属粉末はタングステン、鉛、モリブデン、銅、コバルト、ニッケル、ニオビウム、鉄、マンガン、錫、クロム、亜鉛、バナジウム、チタン、アルミ、マグネシウムまたはその酸化物と化合物から選択することを特徴とする請求項１記載の重量調整部材を有するゴルフクラブヘッド。
【請求項５】
結合部（１４）は選択的にヘッド本体（１）の背板、側板、蓋板、ソール板またはフェース板の背面において形成することを特徴とする請求項１記載の重量調整部材を有するゴルフクラブヘッド。
【請求項６】
結合部（１４）はねじを有するねじ孔から選択し、そして調整部材（２）はボルト型の重りから選択することを特徴とする請求項１記載の重量調整部材を有するゴルフクラブヘッド。
【請求項７】
結合部（１４）は凹欠部から選択し、そして調整部材（２）は銘板から選択することを特徴とする請求項１記載の重量調整部材を有するゴルフクラブヘッド。
【請求項８】
各結合部（１４）は異なる比重を有するように形成されることにより、選択的に結合部（１４）に結合し、およびゴルフクラブヘッドの重心位置を調整することを特徴とする請求項１記載の重量調整部材を有するゴルフクラブヘッド。
【請求項９】
調整部材（２）と結合部（１４）は選択的にヘッド本体（１）の余震の集中エリアに設けられることを特徴とする請求項１記載の重量調整部材を有するゴルフクラブヘッド。
【請求項１０】
上記ヘッド本体（１）の余震の集中エリアはフェース板の背面のトー部またはヒール部に位置するように形成されることを特徴とする請求項９記載の重量調整部材を有するゴルフクラブヘッド。
【請求項１１】
ヘッド本体（１）にはアンダーカットの造形を有するキャビティ（１０）が形成されることを特徴とする請求項１記載の重量調整部材を有するゴルフクラブヘッド。
【請求項１２】
調整部材（２）は染色の調整部材（２）から選択することを特徴とする請求項１記載の重量調整部材を有するゴルフクラブヘッド。
【請求項１３】
ヘッド本体（１）と調整部材（２）はそれぞれ予備成形のヘッド本体と予備成形の調整部材からなることを特徴とする請求項１記載の重量調整部材を有するゴルフクラブヘッド。
【請求項１４】
ヘッド本体（１）および調整部材（２）により構成される重量調整部材を有するゴルフクラブヘッドであって、調整部材（２）には少なくとも一個の高分子材料と少なくとも一個の金属粉末の混合物が含まれ、調整部材（２）はヘッド本体（１）の結合部（１４）に結合するのに用いられることにより、ゴルフクラブヘッドの全体の重心を調整すると共に、振動吸収の功能を提供することを特徴とする重量調整部材を有するゴルフクラブヘッド。
【請求項１５】
上記調整部材（２）の高分子材料はポリプロピレン、ポリエチレンまたはポリスチレンから選択することを特徴とする請求項１４記載の重量調整部材を有するゴルフクラブヘッド。
【請求項１６】
上記調整部材（２）の高分子材料はポリカーボネート、ナイロン樹脂、フルオロカーボン、ＡＢＳ樹脂、ポリアセタール、エポキシ樹脂、不飽和のポリエステル樹脂、ポリエステル樹脂、ポリウレタンまたは熱可塑性エラストマーから選択することを特徴とする請求項１４記載の重量調整部材を有するゴルフクラブヘッド。
【請求項１７】
上記調整部材（２）の金属粉末はタングステン、鉛、モリブデン、銅、コバルト、ニッケル、ニオビウム、鉄、マンガン、錫、クロム、亜鉛、バナジウム、チタン、アルミ、マグネシウムまたはその酸化物と化合物から選択することを特徴とする請求項１４記載のゴルフクラブヘッドに用いられる重量調整部材。
【請求項１８】
調整部材（２）はボルト型の重りから選択することを特徴とする請求項１４記載の重量調整部材を有するゴルフクラブヘッド。
【請求項１９】
調整部材（２）は銘板から選択することを特徴とする請求項１４記載の重量調整部材を有するゴルフクラブヘッド。
【請求項２０】
調整部材（２）は染色の調整部材（２）から選択することを特徴とする請求項１４記載の重量調整部材を有するゴルフクラブヘッド。
【請求項２１】
ヘッド本体（１）と調整部材（２）はそれぞれ予備成形のヘッド本体と予備成形の調整部材からなることを特徴とする請求項１４記載の重量調整部材を有するゴルフクラブヘッド。
【考案の詳細な説明】
【技術分野】
【０００１】
本考案は、重量調整部材を有するゴルフクラブヘッドに関するもので、特に高分子材料と金属粉末を混合して少なくとも一個の調整部材を製成するのを利用し、上記調整部材をヘッド本体に結合させる重量調整部材を有するゴルフクラブヘッドに係るものである。
【背景技術】
【０００２】
従来の重量調整部材を有するゴルフクラブヘッドの構造としては、中華民国公告第Ｍ２６５０７９号においてゴルフクラブヘッド、複数個の重りボルトと複数個のワッシャーが含まれる。上記ゴルフクラブヘッドは適当な位置において複数個のねじ孔が設けられる。各上記重りボルトは異なる重量を有するように形成され、そして上記重りボルトにはヘッドが設けられることにより、上記ゴルフクラブヘッドのねじ孔に螺設して結合することができる。上記ワッシャーは上記重りボルトに嵌め込まれて上記重りボルトと一緒に上記ゴルフクラブヘッドのねじ孔に螺設して結合され、さらに上記ワッシャーは上記重りボルトのヘッドと上記ねじ孔の周縁との間に挟まれるように形成されるようにとしたものがある（例えば、特許文献１を参照）。
【０００３】
また、従来の重量調整部材を有するゴルフクラブヘッドの構造としては、中華民国公告第３２２７８９号において本体と少なくとも一個の重りが含まれる。上記本体は金属材質により製成され、そして本体にはホーゼル部、クラウン部、ソール部と背部が設けられる。また、上記本体は選択的に上記クラウン部、ソール部と背部において少なくとも一個の孔が設けられる。上記重りは塑性変形の方式で上記孔の内部に嵌入されることにより、上記本体とは一体になるように形成される。また、上記重りは材料、比重、重量と体積を選択することにより、ゴルフクラブヘッドの全体の重心を調整することができるようにとしたものがある（例えば、特許文献２を参照）。
【特許文献１】中華民国公告第Ｍ２６５０７９号
【特許文献２】中華民国公告第３２２７８９号
【考案の開示】
【考案が解決しようとする課題】
【０００４】
上記のような従来の重量調整部材を有するゴルフクラブヘッドの構造においては、重りボルトとワッシャーによりゴルフクラブヘッドの重心位置を確実に調整することができるが、実際に使用してみると、上記従来の重りボルトとワッシャーは通常として完全に金属材質により製成されることにより、比較的低い弾性／塑性変形の能力を有するため、ゴルフクラブヘッドの振動吸収の能力を相対的に低く下げてしまい、さらに打球の振動により緩んだり脱落したりするという問題点があった。
【０００５】
また、上記のような従来の重量調整部材を有するゴルフクラブヘッドの構造においては、実際に使用してみると、上記従来のゴルフクラブヘッドも完全に金属材質により製成され、重心を調整する功能しか有せず、充分な振動吸収の功能を有しないため、打球時に生じた振動を有効に吸収することができないという問題点があった。また、上記ゴルフクラブヘッドは長期に渡って打球すると、上記重りが上記本体から脱落してしまう虞がある。このように、上記のような従来の重量調整部材を有するゴルフクラブヘッドの構造をさらに改良しなければならない。
【０００６】
本考案はこのような問題点に鑑みて考案したものであって、その目的とするところは、少なくとも一個の高分子材料と少なくとも一個の金属粉末を混合して少なくとも一個の調整部材を製成し、そして上記調整部材をヘッド本体に結合することができるため、さらにヘッドの重心を調整することができる重量調整部材を有するゴルフクラブヘッドを提供しようとするものである。
【０００７】
本考案の第一の目的は、少なくとも一個の高分子材料と少なくとも一個の金属粉末を混合して少なくとも一個の調整部材を製成し、そして上記調整部材をヘッド本体に結合することにより、ヘッドの重心を調整すると同時に、振動吸収を提供することができる重量調整部材を有するゴルフクラブヘッドを提供しようとするものである。
【０００８】
本考案の第二の目的は、異なる比重の少なくとも二個の調整部材をヘッド本体に結合したり、或いは二個以上の調整部材を提供して選択的にヘッド本体に用いたりすることにより、ヘッドの重心調整の自由度を増やすことができる重量調整部材を有するゴルフクラブヘッドを提供しようとするものである。
【課題を解決するための手段】
【０００９】
上記目的を達成するために、本考案による重量調整部材を有するゴルフクラブヘッドは、下記のようになるものである。すなわち、
ヘッド本体、結合部および調整部材により構成される。結合部はヘッド本体の予定位置に設けられる。調整部材には少なくとも一個の高分子材料と少なくとも一個の金属粉末が含まれる。調整部材はゴルフクラブヘッドのヘッド本体の結合部に結合されることにより、ゴルフクラブヘッドの全体の重心を調整すると共に、振動吸収の功能を提供する。
【００１０】
本考案による重量調整部材を有するゴルフクラブヘッドは、上記調整部材の高分子材料はポリプロピレン、ポリエチレンまたはポリスチレンから選択することもできる。また、上記調整部材の高分子材料はポリカーボネート、ナイロン樹脂、フルオロカーボン、ＡＢＳ樹脂、ポリアセタール、エポキシ樹脂、不飽和のポリエステル樹脂、ポリエステル樹脂、ポリウレタンまたは熱可塑性エラストマーから選択することもできる。また、上記調整部材の金属粉末はタングステン、鉛、モリブデン、銅、コバルト、ニッケル、ニオビウム、鉄、マンガン、錫、クロム、亜鉛、バナジウム、チタン、アルミ、マグネシウムまたはその酸化物と化合物から選択することもできる。また、結合部は選択的にヘッド本体の背板、側板、蓋板、ソール板またはフェース板の背面において形成することもできる。また、結合部はねじを有するねじ孔から選択し、そして調整部材はボルト型の重りから選択することもできる。また、結合部は凹欠部から選択し、そして調整部材は銘板から選択することもできる。また、各結合部は異なる比重を有するように形成されることにより、選択的に結合部に結合し、およびゴルフクラブヘッドの重心位置を調整することもできる。また、調整部材と結合部は選択的にヘッド本体の余震の集中エリアに設けられることもできる。また、上記ヘッド本体の余震の集中エリアはフェース板の背面のトー部またはヒール部に位置するように形成されることもできる。また、ヘッド本体にはアンダーカットの造形を有するキャビティが形成されることもできる。また、調整部材は染色の調整部材から選択することもできる。また、ヘッド本体と調整部材はそれぞれ予備成形のヘッド本体と予備成形の調整部材からなることもできる。
【００１１】
また、本考案による重量調整部材を有するゴルフクラブヘッドは、ヘッド本体および調整部材により構成される。調整部材には少なくとも一個の高分子材料と少なくとも一個の金属粉末の混合物が含まれ、調整部材はヘッド本体の結合部に結合するのに用いられることにより、ゴルフクラブヘッドの全体の重心を調整すると共に、振動吸収の功能を提供する。
【００１２】
さらに、本考案による重量調整部材を有するゴルフクラブヘッドは、上記調整部材の高分子材料はポリプロピレン、ポリエチレンまたはポリスチレンから選択することもできる。また、上記調整部材の高分子材料はポリカーボネート、ナイロン樹脂、フルオロカーボン、ＡＢＳ樹脂、ポリアセタール、エポキシ樹脂、不飽和のポリエステル樹脂、ポリエステル樹脂、ポリウレタンまたは熱可塑性エラストマーから選択することもできる。また、上記調整部材の金属粉末はタングステン、鉛、モリブデン、銅、コバルト、ニッケル、ニオビウム、鉄、マンガン、錫、クロム、亜鉛、バナジウム、チタン、アルミ、マグネシウムまたはその酸化物と化合物から選択することもできる。また、調整部材はボルト型の重りから選択することもできる。また、調整部材は銘板から選択することもできる。また、調整部材は染色の調整部材から選択することもできる。また、ヘッド本体と調整部材はそれぞれ予備成形のヘッド本体と予備成形の調整部材からなることもできる。
【考案の効果】
【００１３】
本考案の重量調整部材を有するゴルフクラブヘッドによれば、少なくとも一個の高分子材料と少なくとも一個の金属粉末を混合して少なくとも一個の調整部材を製成し、そして上記調整部材をヘッド本体に結合することにより、ヘッドの重心を調整すると同時に、振動吸収を提供することができるという利点がある。
【００１４】
本考案の重量調整部材を有するゴルフクラブヘッドによれば、異なる比重の少なくとも二個の調整部材をヘッド本体に結合したり、或いは二個以上の調整部材を提供して選択的にヘッド本体に用いたりすることにより、ヘッドの重心調整の自由度を増やすことができるという利点がある。
【考案を実施するための最良の形態】
【００１５】
本考案の実施の形態について、以下、図面を参照して説明する。
【実施例１】
【００１６】
図１を参照すると、本考案の実施例１の重量調整部材を有するゴルフクラブヘッドにはヘッド本体１と少なくとも一個の調整部材２が含まれ、ヘッド本体１と調整部材２は共同でゴルフクラブヘッド（図示せず）を組成する。上記ゴルフクラブヘッドはアイアン型、ウッド型またはパター型などのヘッドから選択することができる。調整部材２は上記ゴルフクラブヘッドの全体の重心位置を調整するのに用いられると同時に、振動吸収の功能を提供することができる。
【００１７】
図１、２を参照すると、本考案の実施例１においてヘッド本体１はアイアン型ヘッドから選択し、ヘッド本体１は金属、合金または非金属の材料により製成される。ヘッド本体１にはフェース板１１、ホーゼル１２と背板１３が設けられる。フェース板１１、ホーゼル１２と背板１３は従来の構造に属するもので、選択的に一体成形、溶接、硬ろう付け、圧合嵌設、螺設または貼接などの方式によりヘッド本体１に形成される。背板１３はヘッド本体１の背側に立てるように設けられ、そして背板１３、フェース板１１とヘッド本体１の底側の内周縁は共同でアンダーカット（undercut）の造形を有するキャビティ１０を形成する。その他に、背板１３には少なくとも一個の結合部１４が設けられ、結合部１４は調整部材２が結合するのに用いられる。また、本考案の実施例１において結合部１４は好ましくはねじを有するねじ孔から選択する。
【００１８】
再び図１、２を参照すると、本考案の実施例１において調整部材２は製品の需要性に応じて選択的に少なくとも一個の高分子材料と少なくとも一個の金属粉末を複合して製成する。上記高分子材料は好ましくはポリプロピレン（PolyPropylene，ＰＰ）、ポリエチレン（PolyEthylene，ＰＥ）またはポリスチレン（PolyStyrene，ＰＳ）から選択する。その他に、上記高分子材料もポリエステル樹脂（polyester resin，ＰＥ）、ポリカーボネート（PolyCarbonate，ＰＣ）、ナイロン樹脂（Nylon resin）、フルオロカーボン（Fluorocabon）、ＡＢＳ樹脂、ポリアセタール（Polyacetals）、エポキシ樹脂（Epoxy resin）、不飽和のポリエステル樹脂（unsatuated polyester resin）、ポリウレタン（PolyUrethane，ＰＵ）、熱可塑性エラストマー（Thermoplastic-Elastomer，ＴＰＥ）またはその他の高分子弾性材料などから選択することができる。そして、上記金属粉末は好ましくはタングステン（19.35g/cm3）、鉛（11.34g/cm3）、モリブデン（10.2g/cm3）、銅（8.92g/cm3）、コバルト（8.9g/cm3）、ニッケル（8.9g/cm3）、ニオビウム（8.57g/cm3）、鉄（7.86g/cm3）、マンガン（7.3g/cm3）、錫（7.29g/cm3）、クロム（7.2g/cm3）、亜鉛（7.14g/cm3）、バナジウム（6.1g/cm3）、チタン（4.5g/cm3）、アルミ（2.7g/cm3）、マグネシウム（1.74g/cm3）およびその酸化物と化合物などから選択し、上記金属粉末は特に高比重のタングステン（19.35g/cm3）を選択する。そして、上記高分子材料と金属粉末の混合比例を適当に調整することにより、調整部材２は1.1 g/cm3から10.0 g/cm3までの比重の範囲を獲得することができる。
【００１９】
その他に、本考案の実施例１において調整部材２はボルト型の重りから選択することにより、ヘッド本体１の結合部１４（ねじ孔）に螺設して結合することができる。また、上記高分子材料と金属粉末の混合比例または混合材料の種類を制御することにより、二個の調整部材２または二個以上の調整部材２は異なる比重を有するように形成されるため、ヘッド本体１の重心をさらに調整することができる。その他に、調整部材２は混合の製造工程において需要性に応じて染色を行うことにより、比較的よい全体の外観を獲得したり、または異なる調整部材２を容易に区別したりすることができる。
【００２０】
再び図１、２を参照すると、本考案の実施例１において重量調整部材を有するゴルフクラブヘッドを組み立てようとする時、ヘッド本体１と調整部材２（ボルト）をそれぞれ選択的に予備成形することができ、さらに予定された異なる比重と弾性係数を有するように予備成形することができる。それから、調整部材２を選択的にヘッド本体１の背板１３の結合部（ねじ孔）の内部に螺設して結合させる。その他に、結合部１４と調整部材２を選択的にヘッド本体１の余震集中エリアに、例えばトー部（toe）とヒール部（heel）などに位置するように形成させる。これにより、上記二個の調整部材２は共同でゴルフクラブヘッドの全体の重心を適当な位置に調整することができ、さらに慣性モーメントと打球の性能を調整することができる。また、フェース板１１をもってゴルフボールを打球しようとする時、フェース板１１により打球の振動を後方へ伝達して調整部材２まで伝達させ、そして調整部材２により打球の振動を吸収することができる。その他に、調整部材２の弾性／塑性変形の能力により調整部材２を安定してヘッド本体１の結合部１４の内部に結合するのに役立つことができるため、組立ての信頼性を相対的に高めることができる。その他に、ヘッド本体１の結合部１４と調整部材２を選択的にヘッド本体１の背板、側板、蓋板、ソール板またはフェース板の背面などに形成させることができる。
【実施例２】
【００２１】
図３、４を参照すると、本考案の実施例２の重量調整部材を有するゴルフクラブヘッドが掲示される。実施例１と比較してみると、実施例２においてヘッド本体１はウッド型のヘッドからなり、さらに調整部材２は銘板からなる。また、ヘッド本体１の結合部１４は凹欠部からなるため、調整部材２を収容することができる。調整部材２は選択的に溶接（welding）、硬ろう付け（brazing）、螺設または貼接などの方式を利用してヘッド本体１の結合部１４（凹欠部）に結合することができる。これにより、調整部材２も重心の調整を提供すると共に、振動吸収の功能を提供することもでき、さらに組立ての信頼性を相対的に高めることができる。
【産業上の利用可能性】
【００２２】
上述の如く、従来の重量調整部材を有するゴルフクラブヘッドの構造によれば、ゴルフのボルト（または重り）は完全に金属材質により製成されるため、上記ボルト（または重り）は重りの功能しか有せず、そして振動吸収の能力を有しないため、打球の功能性が低下するという問題点があったが、図１に示す本考案の重量調整部材を有するゴルフクラブヘッドによれば、少なくとも一個の高分子材料と少なくとも一個の金属粉末を混合して調整部材２を製成し、そして調整部材２をヘッド本体１の適当な位置（すなわち結合部１４）に結合することができるため、調整部材２により確実にヘッド本体１の重量調整と振動吸収の功能を同時に提供することができる。
【００２３】
本考案は、その精神及び必須の特徴事項から逸脱することなく他のやり方で実施することができる。従って、本明細書に記載した好ましい実施例は例示的なものであり、限定的なものではない。
【図面の簡単な説明】
【００２４】
【図１】本考案の実施例１の重量調整部材を有するゴルフクラブヘッドの分解斜視図である。
【図２】本考案の実施例１の重量調整部材を有するゴルフクラブヘッドによる組み立てられた状態を示す断面図である。
【図３】本考案の実施例２の重量調整部材を有するゴルフクラブヘッドの分解斜視図である。
【図４】本考案の実施例２の重量調整部材を有するゴルフクラブヘッドによる組み立てられた状態を示す断面図である。
【符号の説明】
【００２５】
１    ヘッド本体                      １０    キャビティ
１１    フェース板                      １２    ホーゼル
１３    背板                            １４    結合部
２    調整部材
【図１】
0003123825.tif 000003
【図２】
0003123825.tif 000004
【図３】
0003123825.tif 000005
【図４】
0003123825.tif 000006